(57)【要約】【課題】  目地プレート支持部や目地プレート支持板等を損傷することなく、かつ、目地部下部の空気の通気性を確保することができる床用目地プレート及び床用目地装置を提供すること。【解決手段】  目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられていることを特徴とする。【選択図】  図１
2020125583.tif 000002
【特許請求の範囲】
【請求項１】
目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられている床用目地プレート。
【請求項２】
前記目地プレート本体は、一端部側の底面の一部に開口部が形成された浅皿状の枠部材と、この枠部材の内部に設けられ、前記開口部と連通する連通孔が形成されたリブとからなり、このリブは、複数個のベアリングバーとクロスバーで形成され、前記通気部は前記開口部及びこの開口部に連通する前記連通孔とで形成されていることを特徴とする請求項１記載の床用目地プレート。
【請求項３】
前記目地プレート本体の底面にスペーサーを設けたことを特徴とする請求項２に記載の床用目地プレート。
【請求項４】
一方と他方の左右の躯体間の目地部を塞ぐ床用目地装置であって、一方の躯体に設けられた第１の目地プレート支持部と、他方の躯体に設けられた第２の目地プレート支持部と、前記第１の目地プレート支持部に設けられた取付手段と、該取付手段によって取付部が一方の躯体に取り付けられるとともに、前記第１の目地プレート支持部に一端部が支持され、かつ、前記第２の目地プレート支持部に他端部が支持された床用目地プレートとからなり、前記床用目地プレートは、目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられている床用目地装置。
【請求項５】
前記目地プレート本体は、一端部側の底面の一部に開口部が形成された浅皿状の枠部材と、この枠部材の内部に設けられ、前記開口部と連通する連通孔が形成されたリブとからなり、このリブは、複数個のベアリングバーとクロスバーで形成され、前記通気部は前記開口部及びこの開口部に連通する前記連通孔とで形成されていることを特徴とする請求項３記載の床用目地装置。
【請求項６】
前記目地プレート本体の底面にスペーサーを設けたことを特徴とする請求項５に記載の床用目地装置。
【請求項７】
前記第２の目地プレート支持部には、支持プレートが設けられていることを特徴とする請求項４乃至請求項６のいずれかに記載の床用目地装置。
【発明の詳細な説明】
【技術分野】
【０００１】
本発明は目地部を介して設けられた躯体の間の目地部を塞ぐ床用目地装置及び床用目地装置に用いられる床用目地プレートに関する。
【背景技術】
【０００２】
従来、床用目地プレートや床用目地プレートを用いた床用目地装置は多々存在するが、例えば、浅皿状の目地プレート本体にモルタル等を充填する床用目地プレートでは、目地部の下部の空気は目地プレートを通過することができず、通気性が確保できなかった。
一方、目地部の下部の部位の通気性を確保することが求められる場合があり、床用目地プレート自体に通気部となる格子状の透孔を形成したり（特許文献１）、グレーチングのように目地プレート本体を形成し、通気性を確保することが考えられる。
【０００３】
しかしながら、目地プレートに透孔等を形成した場合やグレーチング状に形成した場合は、左右の躯体が異なる前後方向に揺れ動いた場合に、目地プレートに形成した通気部の透孔等の端部（エッジ）が目地プレートを支持している目地プレート支持部をヤスリのように削ってしまうおそれがあり、目地プレート支持部又はこの目地プレート支持部に設けられた支持板や、目地プレート自体を損傷するおそれがあった。
【先行技術文献】
【特許文献】
【０００４】
【特許文献１】特開２０１８−１８８８６９号公報
【発明の概要】
【発明が解決しようとする課題】
【０００５】
本発明は以上のような従来の欠点に鑑み、目地プレート支持部や目地プレート支持板等の損傷を防止することができ、かつ、目地部下部の空気の通気性を確保することができる床用目地プレート及び床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の床用目地プレートは、目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられていることを特徴とする。
【０００８】
請求項２に記載の床用目地プレートの前記目地プレート本体は、一端部側の底面の一部に開口部が形成された浅皿状の枠部材と、この枠部材の内部に設けられ、前記開口部と連通する連通孔が形成されたリブとからなり、このリブは、複数個のベアリングバーとクロスバーで形成され、前記通気部は前記開口部及びこの開口部に連通する前記連通孔とで形成されていることを特徴とする。
【０００９】
請求項３に記載の床用目地プレートは、前記目地プレート本体の底面にスペーサーを設けたことを特徴とする。
【００１０】
本発明の請求項４に記載の床用目地装置は、一方と他方の左右の躯体間の目地部を塞ぐ床用目地装置であって、一方の躯体に設けられた第１の目地プレート支持部と、他方の躯体に設けられた第２の目地プレート支持部と、前記第１の目地プレート支持部に設けられた取付手段と、該取付手段によって取付部が一方の躯体に取り付けられるとともに、前記第１の目地プレート支持部に一端部が支持され、かつ、前記第２の目地プレート支持部に他端部が支持された床用目地プレートとからなり、前記床用目地プレートは、目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられていることを特徴とする。
【００１１】
請求項５に記載の床用目地装置の前記目地プレート本体は、一端部側の底面の一部に開口部が形成された浅皿状の枠部材と、この枠部材の内部に設けられ、前記開口部と連通する連通孔が形成されたリブとからなり、このリブは、複数個のベアリングバーとクロスバーで形成され、前記通気部は前記開口部及びこの開口部に連通する前記連通孔とで形成されていることを特徴とする。
【００１２】
請求項６に記載の床用目地装置は、前記目地プレート本体の底面にスペーサーを設けたことを特徴とする。
【００１３】
請求項７に記載の床用目地装置の前記第２の目地プレート支持部には、支持プレートが設けられていることを特徴とする。
【発明の効果】
【００１４】
以上の説明から明らかなように、本発明にあっては次に列挙する効果が得られる。
（１）請求項１及び請求項４に記載の各発明においては、目地プレート本体を支持する躯体の床面に前記通気部が接触しないようにカバー部を設けているので、通気部のエッジにより躯体の床面が損傷することを確実に防止することができる。
（２）また、通気部は、目地プレート本体を前記目地部に設置した際に、目地部の上部に位置するように形成されているので、目地部の下部の通気性を十分に確保することができる。
（３）請求項２及び請求項５に記載の各発明においても、前記（１）〜（２）と同様な効果が得られるとともに、軽量かつ高強度の目地プレート本体にすることができる。
（４）請求項３及び請求項６に記載の各発明においても、前記（１）〜（３）と同様な効果が得られるとともに、目地プレート本体の底面と躯体の床面との間に隙間が形成されるため、地震によって目地部が狭くなるように左右の躯体が揺れ動いた際に、目地プレート本体の底面が躯体の床面等に接触することを確実に防止することができる。
（５）請求項７に記載の発明においても、前記（１）〜（４）と同様な効果が得られる。
【図面の簡単な説明】
【００１５】
図１乃至図１０は本発明の第１の実施形態を示す説明図である。
図１１乃至図１６は本発明の第２の実施形態を示す説明図である。
【図１】第１の実施形態を示す床用目地プレートの斜視説明図。
【図２】図１の２−２線に沿う断面図。
【図３】図１の３−３線に沿う断面図。
【図４】枠部材の斜視説明図。
【図５】目地プレート本体の斜視説明図。
【図６】第１の実施形態を示す床用目地装置の平面図。
【図７】図６の７−７線に沿う断面図。
【図８】地震で目地部が狭くなった正面視側からの動作説明図。
【図９】地震で目地部が広くなった正面視側からの動作説明図。
【図１０】第２の実施形態を示す床用目地プレートの斜視説明図。
【図１１】図１０の１１−１１線に沿う断面図。
【図１２】図１０の１２−１２線に沿う断面図。
【図１３】目地プレート本体の斜視説明図。
【図１４】第２の実施形態を示す床用目地装置の斜視説明図。
【図１５】図１４の１５−１５線に沿う断面図。
【発明を実施するための形態】
【００１６】
以下、図面に示す本発明を実施するための形態により、本発明を詳細に説明する。
図１乃至図９に示す本発明を実施するための第１の形態において、１は目地部２を介して設けられた左右の躯体（一方の躯体３及び他方の躯体４）間に設置された床用目地装置５に用いられる床用目地プレートである。
【００１７】
なお、左右方向とは図６（平面視）における左右方向であり、前後方向とは図６における上下方向、上下方向とは図７における上下方向をいう。
【００１８】
また、本発明において躯体とは、建物、道路、スラブ、エレベーターシャフト等の床用目地プレートを設置可能な建造物をいい、出入口とはドアや扉の設けられた出入口だけではなく、人や車両等が通行できる通路も含むものである。
【００１９】
本実施形態の床用目地プレート１は、図１乃至図３に示すように、例えば、目地プレート本体６と、該目地プレート本体６の一端部側に設けられた取付部７と、前記目地プレート本体６に形成され、目地部２の下部との通気性を確保することができる通気部８と、目地プレート本体６の他端部側にヒンジ部材１０を介して設けられたカバープレート１１とを有している。
【００２０】
目地プレート本体６は、図４に示すように、金属製で浅皿状に形成され、一端部側の一部に開口部９が形成された枠部材１２と、目地プレート本体６の一端部側（例えば端部）の両側部に形成され、その底面にピン挿入孔１３を有する取付部７としてのピンボックス７と、枠部材１２の内部に多数のバーで構成された格子状（平面視方形状、矩形状、ひし形状、三角形状、ハニカム状等）のリブ１４とで構成されており、このリブ１４の間の隙間の連通孔２１と開口部９が連通し通気部８となる。この通気部８は目地プレート本体６を目地部２に設置した際に、該目地部２の上部に位置するように形成されている。
また、この開口部９が形成されていない枠部材１２の底面はカバー部２２となり、通気部８が躯体４の床面に接触することを防止している。すなわち、カバー部２２は目地プレート本体６の枠部材１２に一体的に設けられている。
【００２１】
ところで、このリブ１４は、本実施形態では、左右方向に延在するように設けられたベアリングバー１４ａと、このベアリングバー１４ａに略直行するように溶接等により固定されたクロスバー１４ｂとからなり、多数の連通孔２１はそれぞれ平面視方形状又は矩形状であり、全体として外観上格子状となっている。
【００２２】
付言すると、ベアリングバー１４ａを左右方向に延在するように設け、クロスバー１４ｂをこのベアリングバー１４ａに直行するように設けてもよく、あるいはベアリングバー１４ａのような板材のみを格子状に組み合わせてリブ１４を形成してもよい。
【００２３】
このベアリングバー１４ａとクロスバー１４ｂの両端部は、枠部材１２の内壁面（又はピンボックス７）に溶接等により固定されている。
【００２４】
なお、ベアリングバー１４ａは断面Ｈ鋼状のものを用いてもよく、クロスバー１４ｂにはツイストバーを用いてもよい。
ところで、開口部９は、目地プレート本体６の一端部側から全長の１／３乃至約半分程度に設けられる。
【００２５】
このように開口部９を設けることにより、目地プレート本体６の他端部側はカバー部２２に覆われ、床用目地プレート１の他端部側を支持する躯体４の床面に通気部８が接触しないので、目地部２を塞ぐように床用目地プレート１を設けた（目地部２に設置した）場合に、床用目地プレート１の他端部側を支持する躯体４の床面（第２の目地プレート支持部１６）を通気部８によって損傷させることがない。
【００２６】
また、このカバー部２２は、目地プレート本体６の他端部側から少なくとも全長の約半分程度を覆うように形成されている。通常、このような床用目地プレート１では、目地プレート本体６の他端部側から全長の約半分が躯体４に支持されるため、躯体４の上面が通気部８に接触することがなく、一端部側（取付部７を有する側）の端部から全長の約半分程度はカバー部２２で覆われていないため、目地部２を塞ぐように床用目地プレート１を設けた（目地部２に設置した）場合に、目地部２の上部に位置する通気部８を通じて目地部２の下部の空気の通気性を十分に確保することができる。
【００２７】
すなわち、目地プレート本体６を目地部２に設置した際に、通常時（図４の状態、一方と他方の躯体３、４間の目地部に設置された状態で、かつ、地震等により左右の躯体３、４が揺れ動いていない状態）において、床用目地プレート１の他端部側を支持する躯体４の床面（後述する第２の目地プレート支持部１６）と接する部位にのみカバー部２２を設けることにより、床面の損傷を防止することができ、かつ、目地部２の上部に通気部８が位置するので目地部２の下部の空気の通気性を十分に確保することができる。
【００２８】
ところで、目地プレート本体６を設置した際に、目地部２の上部に位置する部位の一部をカバー部２２で覆うような構成（目地プレート本体６の底面の他端部側から半分以上を覆うような構成）にしてもよい。このような場合であっても、目地プレート本体６の一端部側の一部分は目地部２と通気部８を介して通気性を確保できる。
【００２９】
床用目地装置５は、図６及び図７に示すように、一方の躯体３に設けられた第１の目地プレート支持部１５と、他方の躯体４に設けられた第２の目地プレート支持部１６と、第１の目地プレート支持部１５に設けられた取付手段１７としての枢支ピン１７と、該枢支ピン１７が取付部７としてのピンボックス７に挿入されるとともに、前記第１の目地プレート支持部１５に一端部が支持され、かつ、前記第２の目地プレート支持部１６に他端部が支持された床用目地プレート１とで構成されている。
【００３０】
第１の目地プレート支持部１５は、例えば図７に示すように、一方の躯体３の端部に前後方向に延在する凹所状に形成されており、床用目地プレート１のピンボックス７に挿入される枢支ピン１７が固定されている。
【００３１】
なお、第１の目地プレート支持部１５は、本実施形態のように一方の躯体３に一体的に形成してもよいが、アングル状又はクランク状の金具を一方の躯体３の壁面にボルト等で固定し、この金具を第１の目地プレート支持部１５としてもよい。
【００３２】
前記枢支ピン１７の取り付け状態については、特に図示していないが、鉄板等に溶接により固定され、この鉄板をボルト等で第１の目地プレート支持部１５に固定される。
【００３３】
この第２の目地プレート支持部１６は、例えば図７に示すように、他方の躯体４の目地部２側の端部に形成された前後方向に延在する凹所状の部位で、目地部２と反対側の端部には、地震によって目地部２が狭くなった場合に、床用目地プレート１が乗り上げる乗り上げ傾斜面１８が形成されており、この第２の目地プレート支持部１６の上面には、金属製の支持プレート１９が設けられている。
【００３４】
床用目地プレート１は、その一端部が第１の目地プレート支持部１７に支持されると共に、その他端部が第２の目地プレート支持部１６に直接又は本実施形態のように、すのこ状の支持プレート１９を介して間接的に支持された状態で目地部２の前後方向に複数個、略隙間なく設けられている。
【００３５】
地震で躯体３、４が左右方向に揺れ動き目地部２が狭くなると、図８に示すように、床用目地プレート１は第２の目地プレート支持部１６の乗り上げ傾斜面１９を乗り上げて地震による揺れ動きを吸収する。
【００３６】
このとき、目地プレート本体６は一端部側を支点に他端部側が上方へ回動し、目地プレート本体６の底面と他方の躯体４の第２の目地プレート支持部１６とは接触しないため、第２の目地プレート支持部１６が通気部８のエッジにより削られて損傷することはない。
【００３７】
地震で躯体３、４が左右方向に揺れ動き目地部２が広くなると、図９に示すように、床用目地プレート１は第２の目地プレート支持部１６上を左右方向にスライド移動し、地震による揺れ動きを吸収することができる。このとき、目地プレート本体６はカバー部２２を介して第２の目地プレート支持部１６と接触しているため、第２の目地プレート支持部１６が通気部８のエッジにより削られて損傷することはない。
【００３８】
また、図示しないが、地震で躯体３、４が異なる前後方向に揺れ動いた場合にも、床用目地プレート１は第２の目地プレート支持部１６上を前後方向にスライド移動し、地震による揺れ動きを吸収し、このときも目地部２が広くなった場合と同様に、目地プレート本体６はカバー部２２を介して第２の目地プレート支持部１６と接触しているため、第２の目地プレート支持部１６が通気部８のエッジにより削られて損傷することはない。
【００３９】
[発明を実施するための異なる形態]
次に、図１０乃至図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００４０】
図１０乃至図１５に示す本発明を実施するための第２の形態において、前記本発明を実施するための第１の形態と主に異なる点は、目地プレート本体６Ａの底面にスペーサー２０が設けられている点で、このような床用目地プレート１Ａ及びこの床用目地プレート１Ａを用いた床用目地装置５Ａにしても、前記本発明を実施するための第１の形態と同様の作用効果を得ることができる。
【００４１】
本実施形態では、目地プレート本体６Ａのカバー部２２の底面に複数個の丸棒状のスペーサー２０が溶接等により固定されている。スペーサー２０の形状については特に限定するものではないが、他方の躯体４の第２の目地プレート支持部１６等を傷つけないように、接触面が曲線状となる物がよい。
【００４２】
このようにスペーサー２０を用いることにより他方の躯体の第２の目地プレート支持部１６の床面と通気部８が接触することを確実に防止することができる。
【００４３】
なお、本発明の実施形態では、すのこ状の支持プレートを備えるものについて説明したが、必ずしも第２の目地プレート支持部に支持プレートを設けなくてもよいし、乗り上げ傾斜面等に金属製の補強プレート等を更に設けてもよい。
【００４４】
また、目地プレート本体としては、枠部材にリブを用いて格子状に通気部を形成するものについて説明したが、板状の目地プレート本体の一端部側にのみ上下方向に透孔を穿孔して通気部を形成してもよい。
【００４５】
第１の目地プレート支持部として、一方の躯体に一体的に凹所状に形成したものについて説明したが、例えばアングル状の金具等を一方の躯体に固定して第１の目地プレート支持部としてもよく、取付部もピンボックスを形成し、第１の目地プレート支持部に取付手段としての枢支ピンを固定するものについて説明したが、例えば目地プレートの一端部側の底面にピンを固定して取付部とし、第１の目地プレート支持部にこのピンを挿入できるピン挿入孔を取付手段として形成してもよい。
【００４６】
本発明の実施形態においては、カバー部を枠部材と一体的に設けた（浅皿状の枠部材の底面の一部に開口部を設け開口していない部分をカバー部とした）が、上下が開口する枠部材を用いて、別体で形成した板状や箱状のカバー部を溶接等によりこの枠部材の底面側に固定してもよい。
【産業上の利用可能性】
【００４７】
本発明は床用目地装置を製造する産業で利用される。
【符号の説明】
【００４８】
１、１Ａ：床用目地プレート、        ２：目地部、
３：一方の躯体、                    ４：他方の躯体、
５：床用目地装置、                  ６、６Ａ：目地プレート本体、
７：取付部、                        ８：通気部、
９：開口部、                        １０：ヒンジ部材、
１１：カバープレート、              １２：枠部材、
１３：ピン挿入孔、                  １４：リブ、
１５：第１の目地プレート支持部、    １６：第２の目地プレート支持部、
１７：取付手段、                    １８：乗り上げ傾斜面、
１９：支持プレート、                ２０：スペーサー、
２１：連通孔、                      ２２：カバー部。
【図１】
2020125583.tif 000003
【図２】
2020125583.tif 000004
【図３】
2020125583.tif 000005
【図４】
2020125583.tif 000006
【図５】
2020125583.tif 000007
【図６】
2020125583.tif 000008
【図７】
2020125583.tif 000009
【図８】
2020125583.tif 000010
【図９】
2020125583.tif 000011
【図１０】
2020125583.tif 000012
【図１１】
2020125583.tif 000013
【図１２】
2020125583.tif 000014
【図１３】
2020125583.tif 000015
【図１４】
2020125583.tif 000016
【図１５】
2020125583.tif 000017
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられている床用目地プレート。
【請求項２】
前記目地プレート本体は、一端部側の底面の一部に開口部が形成された浅皿状の枠部材と、この枠部材の内部に設けられ、前記開口部と連通する連通孔が形成されたリブとからなり、このリブは、複数個のベアリングバーとクロスバーで形成され、前記通気部は前記開口部及びこの開口部に連通する前記連通孔とで形成されていることを特徴とする請求項１記載の床用目地プレート。
【請求項３】
前記目地プレート本体の底面にスペーサーを設けたことを特徴とする請求項２に記載の床用目地プレート。
【請求項４】
一方と他方の左右の躯体間の目地部を塞ぐ床用目地装置であって、一方の躯体に設けられた第１の目地プレート支持部と、他方の躯体に設けられた第２の目地プレート支持部と、前記第１の目地プレート支持部に設けられた取付手段と、該取付手段によって取付部が一方の躯体に取り付けられるとともに、前記第１の目地プレート支持部に一端部が支持され、かつ、前記第２の目地プレート支持部に他端部が支持された床用目地プレートとからなり、前記床用目地プレートは、目地プレート本体と、該目地プレート本体の一端部側に設けられた取付部と、該目地プレート本体に形成され、目地部の下部との通気性を確保することができる通気部とで構成され、前記通気部は、前記目地プレート本体を前記目地部に設置した際に、該目地部の上部に位置するように形成され、前記目地プレート本体の底面には、前記通気部が前記目地プレート本体を支持する躯体の床面に接触しないようにカバー部が設けられている床用目地装置。
【請求項５】
前記目地プレート本体は、一端部側の底面の一部に開口部が形成された浅皿状の枠部材と、この枠部材の内部に設けられ、前記開口部と連通する連通孔が形成されたリブとからなり、このリブは、複数個のベアリングバーとクロスバーで形成され、前記通気部は前記開口部及びこの開口部に連通する前記連通孔とで形成されていることを特徴とする請求項４に記載の床用目地装置。
【請求項６】
前記目地プレート本体の底面にスペーサーを設けたことを特徴とする請求項５に記載の床用目地装置。
【請求項７】
前記第２の目地プレート支持部には、支持プレートが設けられていることを特徴とする請求項４乃至請求項６のいずれかに記載の床用目地装置。